(57)【要約】      （修正有）【課題】簡単な構成及びアルゴリズムでシート状物に生じた欠陥の種別を判別できる欠陥検査装置を提供する。【解決手段】欠陥検査装置は，シート状物の一方面側に配置され，当該シート状物の表面を撮影して当該シート状物の画像を得る撮影装置２１１と，シート状物の少なくとも一方面側に配置され，当該シート状物の表面上における撮影装置２１１の撮影範囲を照明する一又は複数の光源２１２，２１３と，シート状物の他方面側で撮影装置２１１の撮影範囲と少なくとも部分的に重なる位置に配置され，光源２１２，２１３からの照射光を乱反射する乱反射部材２１４を備える。シート状物に穴が形成されている場合，乱反射部材２１４で乱反射した光が穴を通じて撮影装置２１１に導入されるため，撮影画像内では穴が明るく表れる。このため，シート状物に発生した欠陥が穴であるかそれ以外の欠陥であるかを簡単に判別できる。【選択図】図２
2020027066.tif 000002
【特許請求の範囲】
【請求項１】
シート状物の欠陥検査装置であって，
前記シート状物の一方面側に配置され，当該シート状物の表面を撮影して当該シート状物の画像を得る撮影装置と，
前記シート状物の少なくとも一方面側に配置され，当該シート状物の表面上における前記撮影装置の撮影範囲を照明する一又は複数の光源と，
前記シート状物の他方面側で，前記撮影装置の撮影範囲と少なくとも部分的に重なる位置に配置され，前記光源からの照射光を乱反射する乱反射部材と，を備える
欠陥検査装置。
【請求項２】
前記乱反射部材は，前記シート状物と平行に形成された平面部を含み，
前記平面部は，前記シート状物から一定間隔離れた位置に配置されている
請求項１に記載の欠陥検査装置。
【請求項３】
前記乱反射部材の平面部に付着する塵芥を除去する除去手段をさらに備える
請求項２に記載の欠陥検査装置。
【請求項４】
前記乱反射部材は，前記シート状物と接触する曲面部を含む
請求項１に記載の欠陥検査装置。
【請求項５】
シート状物を得る工程と，
前記シート状物の欠陥の有無を，請求項１から請求項４のいずれかに記載の欠陥検査装置を用いて検査する工程と，を含む，
シート状物の製造方法。
【発明の詳細な説明】
【技術分野】
【０００１】
本発明は，衛生用紙などのシート状物の欠陥検査装置や，それを用いたシート状物の製造方法に関する。
【背景技術】
【０００２】
従来から，例えばトイレットペーパーやティッシュペーパーのような家庭用の衛生用紙に関し，その製造過程で生じた欠陥（穴や，汚れ，スジ，異物等）を検査する手法として，衛生用紙の原紙をローラなどによって高速で搬送しつつ，その搬送中に紙面をカメラで撮影することにより，紙面上に生じた欠陥を検出することが知られている。
【０００３】
例えば紙・フィルム等のようなシート状物の被検査体の欠陥検査技術に関し，特許文献１には，被検査体に照明光を当てて表面上に影を作り，この影内における正反射または乱反射の像を暗視野感度領域においてカメラで撮像し，得られた撮像画像の画像信号を画像処理して欠陥を検出する装置が開示されている。このように，照明から照射され紙面上で反射した反射光をカメラで検出する検査手法は，「反射方式」とも呼ばれる。
【０００４】
また，特許文献１及び特許文献２には，検出された欠陥の種別を判別する機能を備えた欠陥検査装置が開示されている。例えば，これらの特許文献では，撮影画像を所定数の画素行列からなるブロック（格子）に切り分けて，各ブロック内の濃度情報（つまり明度情報）に基いて検出された欠陥の種別（穴や汚れなど）を判別することが提案されている。
【先行技術文献】
【特許文献】
【０００５】
【特許文献１】特開２０１７−２１００３号公報
【特許文献２】特開平０８−１４５９０７号公報
【発明の概要】
【発明が解決しようとする課題】
【０００６】
ところで，特許文献１に記載の欠陥検査装置ように，検査対象となるシート状物の一方面側に撮影装置と光源を配置する「反射方式」の装置では，シート状物に付着した汚れとシート状物に生じた穴とが，例えば図７に示すような状態で映り込むこととなる。すなわち，シート状物がほぼ白色のものであることを想定したときに，汚れ（機械油が付着したシミなど）はシート状物よりも明度の低い暗色に写り，また穴も汚れと同程度の暗色か又はそれよりも明度の低い暗色で写ることとなる。このように，シート状物の撮影画像に汚れや穴が含まれている場合に，これらはいずれもほぼ白色のシート状物よりも明度が低いものとなる。このため，反射方式にてシート状物に生じた欠陥の種類を判別するためには，特許文献１や特許文献２に示されるように，欠陥の明度を解析するための複雑なアルゴリズムが必要になるという問題があった。
【０００７】
そこで，本発明は，簡単な構成及びアルゴリズムでシート状物に生じた欠陥の種別を判別することを主たる目的とする。
【課題を解決するための手段】
【０００８】
本発明の発明者は，上記した従来技術の問題を解決する手段について鋭意検討した結果，シート状物の一方面側に撮影装置と光源が配置された「反射方式」の欠陥検査装置において，シート状物の他方面側に光源からの照射光を乱反射する乱反射部材を設けることにより，シート状物に生じた欠陥（特に穴とそれ以外の欠陥）を簡単に判別できるようになるという知見を得た。そして，本発明者は，上記知見に基づけば従来技術の問題を解決できることに想到し，本発明を完成させた。具体的に説明すると，本発明は以下の構成・工程を有する。
【０００９】
本発明の第１の側面は，シート状物の欠陥検査装置に関する。本発明に係る欠陥検査装置は，撮影装置と，一又は複数の光源と，乱反射部材とを備える。撮影装置は，シート状物の一方面側に配置され，当該シート状物の表面を撮影して当該シート状物の画像を得る。光源は，シート状物の少なくとも一方面側に配置され，当該シート状物の表面上における撮影装置の撮影範囲を照明する。乱反射部材は，シート状物の他方面側で，撮影装置の撮影範囲と少なくとも部分的に重なる位置に配置されており，光源からの照射光を乱反射する。なお，「乱反射」とは，反射面に達した光がランダムな方向に反射する現象である。つまり，乱反射された光には，入射角と反射角が異なる光が含まれる。このため，「乱反射」は，光の入射角と反射角が等しくなる鏡面反射や，入射した光が再び入射方向へ帰る再帰反射とは区別される。このように，シート状物の裏面側に乱反射部材を設置しておくことで，撮影装置によるシート状物の検査エリアのどこに欠点（特に穴）があっても，光源から照射された光が穴を通過して乱反射部材に到達し，そこで乱反射して再度カメラに入射するようになる。このため，乱反射部材が必要とされる。
【００１０】
上記構成のように，本発明では，例えばシート状物の表面側に光源と撮影装置を配置し，その裏面側に乱反射部材を配置しておく。これにより，シート状物に穴が生じている場合に，光源からの照射光は，シート状物の穴を抜けて乱反射部材に到達し，そこで乱反射して撮影装置に導かれることとなる。そうすると，撮影装置で取得した撮影画像には，穴がシート状物の紙面の正常な明度範囲よりも高い明度で写り込むようになる。他方，シート状物に穴以外の欠陥，例えば汚れや異物が付着している場合に，撮影装置で取得した撮影画像には，その欠陥がシート状物の紙面の正常は明度範囲よりも低い明度で写り込む。このため，欠陥検査装置では，撮影画像を解析して，紙面自体の正常な明度範囲と紙面上に生じている欠陥の明度とを比較することで，その欠陥が穴であるのか，それ以外の欠陥（汚れや異物等）であるのかを簡単に判別することができる。また，シート状物が衛生用紙である場合を想定すると，撮影装置と衛生用紙の間には，衛生用紙の製造過程で生じた紙粉が浮遊しており，撮影画像には紙粉やその影が写り込む場合がある。この紙粉やその影は撮影画像中において低い明度で写ることとなるが，衛生用紙の穴は上記のとおり明るい明度で写る。このため，上記構成によれば，紙粉やその影の影響によって誤作動が生じることを回避しつつ，シート状物（衛生用紙）に生じた穴をより確実に検出することが可能となる。
【００１１】
本発明に係る欠陥検査装置において，乱反射部材は，シート状物と平行に形成された平面部を含むものであってもよい。この場合に，平面部は，シート状物から一定間隔で離れた位置に配置されていることとしてもよい。なお，乱反射部材をシート状物に対して非接触で配置する場合，乱反射部材とシート状物の距離は近いことが好ましく，例えば２０ｃｍ以内又は１０ｃｍ以内とすることが好ましく，５ｃｍ以内であることが特に好ましい。このように，乱反射部材をシート状物に対して非接触とすることで，乱反射部材を配置しやすくなる。また，乱反射部材とシート状物の接触によって静電気が発生することや，シート状物にシワが形成されることを回避できる。
【００１２】
本発明に係る欠陥検査装置は，乱反射部材の平面部に付着する塵芥（例えば紙粉など）を除去する除去手段をさらに備えることが好ましい。シート状物と乱反射部材との間に一定の間隔が空いている場合，その平面部に塵芥が付着するおそれがある。平面部に塵芥が堆積すると，乱反射した光の強度が弱くなり，撮影画像中における明度が低下する可能性がある。そこで，乱反射部材の平面部から塵芥を除去する除去手段を設けることで，このような問題を回避することができる。
【００１３】
本発明に係る欠陥検査装置において，乱反射部材は，シート状物と接触する曲面部を含むものであってもよい。このように，乱反射部材をシート状物に接触した状態で配置することで，例えばシート状物に穴が形成されている場合に，光源から照射された光がシート状物の穴を通じて確実に乱反射部材に到達して乱反射するようになる。これにより穴の検出精度が向上する。さらに，乱反射部材とシート状物が常に接触していることで，乱反射部材の反射面に紙粉等が堆積しにくくなるため，反射面が常にきれいな状態に保たれ，反射光の強度が維持される。
【００１４】
本発明の第２の側面は，シート状物の製造方法に関する。本発明に係る製造方法は，シート状物を得る工程と，シート状物の欠陥の有無を検査する工程とを含む。検査工程では，前述した第１の側面に係る欠陥検査装置を用いて，シート状物の欠陥の有無を検査する。特に，シート状物に欠陥が発生している場合に，その欠陥がシート状物に生じた穴であるのか，あるいはそれ以外の欠陥（汚れや異物の付着等）であるのかを判別することが好ましい。
【発明の効果】
【００１５】
本発明によれば，簡単な構成及びアルゴリズムでシート状物に生じた欠陥の種別を判別することができる。
【図面の簡単な説明】
【００１６】
【図１】図１は，抄紙機の構成の一例を示している。
【図２】図２は，第１の実施形態に係る欠陥検査装置の構成例を示している。
【図３】図３は，欠陥検査装置の機能構成例を示したブロック図である。
【図４】図４は，画像解析装置における欠陥検出処理の一例を示したフロー図である。
【図５】図５は，本発明に係る欠陥検査装置で取得した撮影画像の一例を模式的に示している。
【図６】図６は，第２の実施形態に係る欠陥検査装置の構成例を示している。
【図７】図７は，従来の「反射方式」の欠陥検査装置で取得した撮影画像の一例を模式的に示している。
【発明を実施するための形態】
【００１７】
以下，図面を用いて本発明を実施するための形態について説明する。本発明は，以下に説明する形態に限定されるものではなく，以下の形態から当業者が自明な範囲で適宜変更したものも含む。
なお，本願明細書において，「Ａ〜Ｂ」というときは「Ａ以上Ｂ以下」であることを意味する。
【００１８】
本発明は，シート状物の欠陥検査装置や，その欠陥検査装置を用いてシート状物を製造する方法に関する。シート状物の例としては，紙製やプラスチック製のものを挙げることができる。特に，シート状物は，ティシュペーパーやトイレットペーパーとして利用される家庭用の衛生用紙であることが好ましい。「衛生用紙」とは，ＪＩＳの「紙・板紙及びパルプ用語」（ＪＩＳＰ  ０００１）で定義された「衛生用紙」を意味する。「衛生用紙」には，タオル，生理用紙，ティシュペーパー，トイレットペーパー，ちり紙が含まれる。本発明によって製造される衛生用紙は，坪量が１０〜２５ｇ／ｍ２の範囲にある薄葉紙であることが好ましい。また，本発明の衛生用紙は，１枚からなる１プライの製品であってもよいし，２枚又は３枚以上を重ね合わせた２プライ又は３プライ以上の製品であってもおよい。以下では，シート状物として，１プライの衛生用紙を例に挙げて説明を行う。
【００１９】
衛生用紙の製造方法は，基本的に，原料パルプ繊維の懸濁液である抄紙原料（パルプスラリー）を得る調製工程と，抄紙原料から原料パルプ繊維を抄いて繊維ウェブを形成し乾燥させる抄紙工程を含む。
【００２０】
調整工程では，衛生用紙の原料となる抄紙原料（パルプスラリー）を調整する。抄紙原料は，パルプを主原料としている。原料パルプとしては，例えば，広葉樹晒クラフトパルプ（ＬＢＫＰ）や針葉樹晒クラフトパルプ（ＮＢＫＰ）等のクラフトパルプ（ＫＰ）；  サルファイトパルプ（ＳＰ）やソーダパルプ（ＡＰ）等の化学パルプ；  セミケミカルパルプ（ＳＣＰ）やケミグラウンドウッドパルプ（ＣＧＰ）等の半化学パルプ；  砕木パルプ（ＧＰ）やサーモメカニカルパルプ（ＴＭＰ，ＢＣＴＭＰ）等の機械パルプ；  あるいは，楮，三椏，麻，ケナフ等を原料とする非木材パルプ，コットンリンターやコットンリントなどの綿系パルプ，古紙を原料とする脱墨パルプが挙げられる。抄紙原料は，薄葉紙の用途や要求される性能に応じて，１種類の原料パルプを使用してもよく，又は複数種類の原料パルプを任意の比率で使用してもよい。原料パルプは，未叩解パルプであってもよく，全体または一部が叩解されていてもよい。
【００２１】
調整工程で調整された抄紙原料は，抄紙工程において抄紙され衛生用紙となる。抄紙工程は，抄紙機１００を利用して行うことができる。図１に示されるように，抄紙機１０００は，ワイヤパート１１０，プレスパート１２０，ドライパート１３０，カレンダパート１４０，及びリールパート１５０を含む。
【００２２】
ワイヤパート１１０は，パルプスラリーに含まれる水分を搾水し，薄層状の湿紙を形成する部分である。ワイヤパート１１０は，抄き網を環状の無限軌道ベルトに構成した一対の上下２枚のワイヤ１１１と，パルプスラリーを２枚のワイヤ１１１の間に噴き付けるヘッドボックス１１２とを備える。ヘッドボックス１１２は，ワイヤ１１１のニップ部に向かってパルプスラリーを薄く噴き付ける。パルプスラリーに含まれる水分は，フォーミングロール１１３からの圧力で相互に圧着される２枚のワイヤ１１１の網目から搾水される。ワイヤ１１１は，駆動ロールとして機能するフォーミングロール１１３とドライブロール１４によって走行させる。フォーミングロール１１３及びドライブロール１１４はワイヤ１１１と当接するように配置されており，フォーミングロール１１３及びドライブロール１１４の回転力がワイヤ１１１に伝達されることでワイヤ１１１に推進力が付与されている。
【００２３】
プレスパート１２０は，ワイヤパート１１０で形成された薄層状の湿紙の水分を更に除去する部分である。プレスパート１２０は，フェルトを環状の無限軌道ベルトに構成したドライヤフェルト１２１と，このドライヤフェルト１２１に当接してドライヤフェルトの走行とともに回転する、複数のフェルトロール１２２とを備える。プレスパート１２０においては，ワイヤパート１１０ら送り込まれた湿紙をドライヤフェルト１２１の表面に載置し，繊維状のドライヤフェルト１２１を透過させて湿紙に含まれる水分を更に除去する。
【００２４】
ドライパート１３０は，プレスパート１２０で水分の除去された湿紙を更に乾燥する部分である。ドライパート１３０は，加熱可能な円柱状のヤンキードライヤ１３１と，熱風の噴射口を有するフード１３２とを備える。ドライパート１３０においては，内部に蒸気を吹き込み加熱状態としたヤンキードライヤ１３１の外周面に湿紙を圧着させ，更にフード１３２内部に設置された噴射口からヤンキードライヤ１３１の外周側に熱風を噴き付けることによって湿紙を乾燥させる。また，ヤンキードライヤシリンダ１３１の表面に形成された乾燥した原紙をドクターブレード１３３によりクレープを付けながら引き剥がす。原紙のクレープ率は，例えば１５〜４５％又は２０〜３８％とすることが好ましい。なお，なお，クレープ率とは，［（ヤンキードライヤの周速）−（リールドラムの周速））／（ヤンキードライヤの周速）］×１００（％）で算出される値である。
【００２５】
カレンダパート１４０は，ドライパート１３０で乾燥させた原紙に対してカレンダー加工を施す部分である。カレンダパート１４０は，カレンダロール１４１と受けロール１４２を備える。カレンダパート１４０においては，原紙をカレンダロール１４１と受けロール１４２の間に挟みこんで押圧することで，原紙表面の平滑化，組織の緻密化，紙厚の均一化，及び光沢の付与等を行う。カレンダロール１４１や受けロール１４２の種類は特に限定されないが，例えば金属製のものを好適に用いることができる。
【００２６】
リールパート１５０は，カレンダー加工を施した原紙を巻き取る部分である。リールパート１５０は，リールドラム１５１を備える。リールパート１５０においては，リールドラム１５１に巻芯１５２を固定した上で，原紙を巻芯１５２に巻き付け，リールドラム１５１を回転させることで原紙を巻芯１５２に巻き取る。これにより，原紙がロール状に巻取られた原反ロールを得ることができる。
【００２７】
本実施形態では，抄紙機１００のカレンダパート１４０とリールパート１５０の間に，欠陥検査装置２００が備え付けられている。欠陥検査装置２００は，衛生用紙の原紙の一面側に紙面と対面するように設置された撮影装置２１１（カメラ）と，この撮影装置２１１と有線又は無線で接続された画像解析装置２２０を備える。さらに，欠陥検査装置２００は，撮影装置２１１とともに衛生用紙の原紙の一方面側に配置された複数の光源２１２，２１３と，衛生用紙の原紙の他方面側に配置された乱反射部材２１４を備える。抄紙機１００は，カレンダパート１４０からリールパート１５０の間，特に撮影装置２１１と原紙が対面している部分において，この原紙を一定速度で一定方向に向かって搬送している。また，原紙の一方面側は光源２１２，２１３によって照明されており，紙面上で反射した光が撮影装置２１１に導入される。このように，撮影装置２１１は，光源２１２，２１３からの照射光のうち原紙の紙面で反射した光を撮像することで，撮影画像を取得する。撮影装置２１１によって取得された衛生用紙の撮影画像は，画像解析装置２２０に入力され，この画像解析装置２２０において衛生用紙の紙面上に欠陥が生じているかどうかの解析が実行される。また，画像解析装置２２０は，撮影画像に含まれる紙面上の欠陥の種別を判定する処理を行う。
【００２８】
図２は，第１の実施形態に係る欠陥検査装置２００について，撮影装置２１１，光源２１２，２１３，及び乱反射部材２１４の配置例を示している。図２に示されるように，衛生用紙Ｓの表面側（一方面側）に，撮影装置２１１及び複数の光源２１２，２１３が配置され，衛生用紙の裏面側（他方面側）に，乱反射部材２１４が配置される。また，図２では，衛生用紙Ｓ上に生じた欠陥を符号Ｄで示している。欠陥の例としては，穴や，汚れ，スジ，異物等など，衛生用紙の販売に適さない品質上の欠陥を挙げられる。
【００２９】
撮影装置２１１は，静止画又は動画の画像データを取得するためのカメラである。撮影装置２１１によって取得された画像データは，画像解析装置２２０（図３参照）へと送信され欠陥検出のための所定の画像解析が行われる。カメラは，例えば，レンズ，メカシャッター，シャッタードライバ，ＣＣＤイメージセンサユニットやＣＭＯＳイメージセンサユニットといった光電変換素子，光電変換素子から電荷量を読み出し画像データを生成するデジタルシグナルプロセッサ（ＤＳＰ），ＩＣメモリなどで実現される。なお，カメラは，静止画を撮影するものであってもよいし，所定のフレームレートの動画を撮影するものであってもよい。
【００３０】
撮影装置２１１は，その撮像面（レンズ）が積層シートの紙面に対してほぼ平行に配置されることが好ましい。このため，撮影装置２１１の撮像面から垂直に直線を引くと，その直線は紙面に対してほぼ垂直に交差する。これにより，撮影装置２１１によって積層シートの紙面を歪みなく撮影することができる。図２では，撮影装置２１１の撮影範囲を破線で示している。
【００３１】
光源２１２，２１３は，撮影装置２１１によって撮影される衛生用紙Ｓの撮影範囲を照明するライトである。光源２１２，２１３は，白色光を照射するものであることが好ましい。光源２１２，２１３の例としては，蛍光灯，ＬＥＤ（発光ダイオード），ＯＬＥＤ（有機発光ダイオード），ランプ，アーク灯，白熱電球などが挙げられる。また，光源２１２，２１３は，スポット光源，平行光源（面光源），又は点光源を採用することができるが，その照明範囲（スッポットサイズ）や光軸を制御しやすいスポット光源を採用することが最も好ましい。スポット光源を利用すれば，光源から限定された方向と範囲に光を照射することができる。図２では，各光源２１２，２１３の照明範囲を破線で示し，各光源２１２，２１３の光軸を一点鎖線で示している。なお，「光軸」とは，光源の発光部分の中心を通り，発光面に対して垂直な直線を意味する。図２等で示した例では，各光源２１２，２１３としては，光軸を中心として照明範囲（直径）がテーパー状に広がるスポット光源が採用されている。なお，スポット光源としては，照明範囲が無限遠に同一のものを用いることもできる。
【００３２】
図２に示されるように，各光源２１２，２１３は，撮影装置２１１の撮影範囲を含む範囲を照明するように配置されている。すなわち，本実施形態において，撮影装置２１１は，衛生用紙Ｓの表面を撮影し，各光源２１２，２１３は，撮影装置２１１が撮影している衛生用紙Ｓの一部の表面を照明する。このため，光源２１２，２１３から照射されて衛生用紙Ｓの表面で反射した光が撮影装置２１１に導入されるようになっている。このようにして，撮影装置２１１は，「光反射方式」で衛生用紙Ｓの撮影画像を取得する。
【００３３】
また，図２に示されるように，衛生用紙Ｓの長手方向断面視において，各光源２１２，２１３から射出された光の光軸は，衛生用紙Ｓの紙面に対して所定角度θで傾斜している。主光源２１２，２１３の光軸の傾斜角度θは，例えば３０度〜９０度，３５度〜８５度，又は４５度〜８０度であることが好ましい。なお，図２に示した例では，第１の光源２１２と第２の光源２１３の光軸の傾斜角度を等角としているが，それぞれの光源の光軸の傾斜角度は異なっていてもよい。
【００３４】
また，衛生用紙Ｓの長手方向断面視において，第１の光源２１２と第２の光源２１３は，撮影装置２１１を挟むように配置されている。すなわち，撮影装置２１１は，衛生用紙の搬送方向において，第１の光源２１２と第２の光源２１３の間に位置している。また，撮影装置２１１は，各光源２１２，２１３よりも高い位置に設置される。すなわち，撮影装置２１１から衛生用紙Ｓの紙面までの距離は，各光源２１２，２１３から衛生用紙Ｓの紙面までの距離よりも離れていることとなる。
【００３５】
このように，「光反射方式」で衛生用紙Ｓの紙面を撮影する場合，上記のように複数の光源２１２，２１３を配置することで，衛生用紙Ｓの紙面と撮影装置２１１の間に存在する浮遊物（例えば紙粉）を複数の方向から照らすことができるため，紙面上に投影される浮遊物の影の色を薄くすることができる。これにより，撮影装置２１１によって取得した撮影画像を解析して，紙面上に付着した欠陥をより明確に検出することができる。
【００３６】
図２に示されるように，乱反射部材２１４は，撮影装置２１１と光源２１２，２１３とは反対面側に配置される。乱反射部材２１４は，光源２１２，２１３からの照射光を乱反射して，その反射光の一部を撮影装置２１１の撮像面に導入するために配置される。乱反射部材２１４としては，例えば光源２１２，２１３からの光が照射される面（反射面）に微細な凹凸が形成されており，入射した光をランダムな方向に反射するものを用いればよい。乱反射部材２１４は，公知の反射板を適宜用いることができる。本実施形態では，乱反射部材２１４として，衛生用紙Ｓの紙面と平行な面を有する板状の部材が用いられている。
【００３７】
具体的に説明すると，衛生用紙Ｓに形成された欠陥Ｄが，その表面から裏面まで貫通する穴である場合，各光源２１２，２１３からの照射光がこの穴を通じて乱反射部材２１４の反射面に到達する。照射光が乱反射部材２１４にて乱反射すると，少なくともその一部は，衛生用紙Ｓの穴を再び通り，撮影装置２１１の撮像面に導入されることとなる。このようにして，乱反射部材２１４の反射光が衛生用紙Ｓの穴を通じて撮影装置２１１が導入されることで，撮影装置２１１の撮影画像には，衛生用紙Ｓの穴が明度の高い領域として写ることとなる。
【００３８】
また，図２に示した実施形態において，乱反射部材２１４は，衛生用紙Ｓの紙面に対して平行に形成された平面部を含み，この平面部は，シート状物から一定間隔Ｇだけ離れた位置に位置している。乱反射部材２１４の平面部と衛生用紙Ｓの紙面の間の間隔Ｇは，乱反射部材２１４が衛生用紙の搬送を阻害しない程度になるべく近い間隔であることが好ましい。具体的に説明すると，図２では，衛生用紙Ｓが存在しないことを想定した場合に，撮影装置２１１による乱反射部材２１４の平面部上の撮影範囲を符号Ｐで示し，また，第１の光源２１２と第２の光源２１３からの照射光が乱反射部材２１４の平面部上で重なる範囲を符号Ｌで示している。このとき，衛生用紙Ｓの搬送方向（図の左右方向）において，照射光が重なる範囲Ｌの長さは，撮影範囲Ｐの長さに対して，８０％以上又は９０％以上であることが好ましく，１００％以上であることが特に好ましい。つまり，範囲Ｌの長さは撮影範囲Ｐの長さ以上（Ｌ≧Ｐ）であることが特に好ましい。このような条件を満たすように，乱反射部材２１４と衛生用紙Ｓの間隔Ｇを設定すればよい。例えば間隔Ｇは，１ｃｍ〜２０ｃｍ又は２〜１０ｃｍとすることが好ましい。このように，乱反射部材２１４の平面部上において，光源２１２，２１３からの照射光が重なる範囲を撮影装置２１１によって撮影することで，各光源２１２，２１３からの反射光がそれぞれ撮影装置２１１に導入されることとなる。このため，撮影装置２１１に導入される反射光の強度が強くなり，撮影画像に写る衛生用紙Ｓの穴の明度がより高くなる。
【００３９】
また，図示は省略するが，欠陥検査装置２００は，乱反射部材２１４の平面部に付着する塵芥（例えば紙粉など）を除去する除去手段をさらに備えていてもよい。除去手段としては，衛生用紙の紙面と乱反射部材２１４の平面部の間に連続的又は断続的に空気を送り込む送風装置や，乱反射部材２１４の平面部を自動又は手動で拭掃するブラシやワイパーを用いることができる。衛生用紙と乱反射部材２１４との間に間隔が空いている場合，その平面部に塵芥が堆積して乱反射した光の強度が弱くなる恐れがある。そこで，除去手段を設けて，乱反射部材２１４の平面部から連続的又は定期的に塵芥を除去することで，撮影部２１１に導入される反射光の光強度を維持することができる。
【００４０】
図３は，撮影装置２１１に接続された画像解析装置２２０の機能構成例を示している。画像解析装置２２０は，前述した構成によって撮影装置２１１によって取得された衛生用紙の画像を解析して，当該衛生用紙の欠陥の有無を検査する。画像解析装置２２０には一般的なコンピュータを用いればよい。画像解析装置２２０は，撮影装置用のインターフェースを備えており，撮影装置２１１が取得した画像データが入力される。画像解析装置２２０は，制御演算部２２１，記憶部２２２，操作部２２３，及び表示部２２４を備える。制御演算部２２１は，各要素２２２〜２２４を制御するとともに，記憶部２２２に記憶されている欠陥検査用のコンピュータプログラムに従って，撮影装置２１１から取得した画像データの画像解析処理を行う。制御演算部２２１は，ＣＰＵ又はＧＰＵといったプロセッサにより実現できる。記憶部２２２は，ＨＤＤ又はＳＤＤといった不揮発性メモリや，ＲＡＭ又はＤＲＡＭといった揮発性メモリにより実現できる。操作部２２３は，マウス，キーボード，タッチパネル，マイクなどの入力装置により構成され，人による操作情報を受け付ける。表示部２２４は，液晶ディスプレイや有機ＥＬディスプレイのような表示装置であって，撮影装置２１１から取得した画像データを表示することとしてもよい。なお，表示部２２４は，操作部２２３と一体となってタッチパネルディスプレイを構成していてもよい。
【００４１】
画像解析装置２２０の制御演算部２２１は，基本的に，撮影装置２１１によって取得された撮影画像を解析して，衛生用紙の表面上に欠陥があるか否かを判断する。例えば，画像解析装置２２０は，衛生用紙の画像データの画素又は画素群ごとに明度（濃度）を測定し，正常な明度範囲よりも暗い部分又は明るい部分があったときに，その画像データの衛生用紙に欠陥があると判断する。例えば，衛生用紙に異物が付着している場合，その異物部分については明度が暗く表れる。また，衛生用紙に穴が開いている場合，乱反射部材２１４を用いた反射方式によって取得した画像データでは，その穴部分については明度が明るく表れる。このように，制御演算部２２１は画像データの明度に異常が発生している部位を，衛生用紙の欠陥部位であると判断する。
【００４２】
図４は，画像解析装置２２０による欠陥検出処理のフローの一例を示している。また，図５は，撮影装置２１１によって取得された衛生用紙の紙面の画像であって，紙面上に穴と汚れなど異物が存在するものを模式的に示している。図４に示されるように，まず撮影装置２１１から画像解析装置２２０に撮影画像が入力される（ステップＳ１）。画像解析装置２２０は，撮影画像を解析して紙面上に欠陥が存在するか否かを判断する（ステップＳ２）。前述したとおり，紙面上の欠陥は，撮影画像における明度が，通常の紙面の明度範囲から逸脱している傾向にある。このため，画像解析装置２２０は，撮影画像の明度に基いて欠陥の有無を判断する。そして，撮影画像中に明度の異常な箇所が存在しなければ，正常と判断する（ステップＳ３）。他方で，撮影画像中に，一定の閾値を超えて明度が高い箇所又は明度が低い箇所が存在する場合には，画像解析装置２２０は紙面上に欠陥が存在していると判断し，その欠陥の種類を判別する処理（ステップＳ４）へと進む。
【００４３】
次に，画像解析装置２２０は，撮影画像内の欠陥の明度が，紙面の通常の明度範囲よりも高いか否かを判断する（ステップＳ４）。すなわち，図５に示されるように，衛生用紙の紙面上に穴が形成されている場合，その穴が形成された領域は明度が高くなる。これは，前述したように，衛生用紙の裏面に乱反射部材２１４が配置されているためである。他方で，衛生用紙の紙面上に汚れ等の異物が付着している場合，その異物が付着した領域は明度が低くなる。このように，紙面の通常の明度と比較して，それよりも明度が高い欠陥を穴と判断し（ステップＳ５），それよりも明度が低い欠陥を異物（穴以外の欠陥）と判断することができる（ステップＳ６）。例えば，紙面の明度と同程度の明度範囲を正常とし，その正常な明度範囲を上回る明度の欠陥を穴と判断し，正常な明度範囲を下回る明度の欠陥を異物（穴以外の欠陥）と判断すればよい。
【００４４】
図７に示したように，従来の反射方式（衛生用紙の裏面側に乱反射部材が配置されていない場合）で撮影した撮影画像では，穴やその他の異物が紙面よりも低い明度で写り込むこととなる。このため，紙面上の欠陥が穴であるか異物であるかを判別するためには，欠陥の明度（濃度）を解析するための複雑なアルゴリズムが必要となっていた。これに対して，図５に示すように，乱反射部材を用いた本発明の方式によれば，紙面上の穴が紙面より高い明度で表れ，それ以外の異物等の欠陥が紙面より低い明度で表れる。このため，図６に示したフローのように，欠陥の明度を紙面の正常な明度範囲と比較するだけの簡単なアルゴリズムで，欠陥の種類を判別することが可能になる。
【００４５】
図６は，第２の実施形態に係る欠陥検査装置２００を示している。第２の実施形態については，前述した第１の実施形態と同様の構成については説明を省略し，異なる構成について説明する。
【００４６】
第２の実施形態では，乱反射部材２１４として，衛生用紙の搬送方向の断面が曲面状に形成された曲面部を含むものが用いられている。また，乱反射部材２１４の曲面部は，衛生用紙の裏面に接触している。このため，衛生用紙は，その一部が常に乱反射部材２１４の曲面部に接しながら長手方向に搬送されることとなる。なお，曲面部を有する乱反射部材２１４は，図６に示されるように断面が円弧状の板状部材であってもよいし，断面円形状の部材や，断面半円形状の部材，又は断面円筒形状の部材であってもよい。
【００４７】
また，第２の実施形態では，複数の光源２１２，２１３がそれぞれ，衛生用紙と乱反射部材２１４の接触部位を照明するように配置されている。また，撮影装置２１１も同様に，衛生用紙と乱反射部材２１４の接触部位を撮影するように配置されている。これにより，撮影装置２１１は，「反射方式」で衛生用紙と乱反射部材２１４の接触部位の撮影画像を取得することができる。
【００４８】
図６に示されるように，衛生用紙の紙面上に生じた欠陥Ｄが穴である場合，衛生用紙と乱反射部材２１４が密着しているため，各光源２１２，２１３から照射された光は，確実に穴を通って乱反射部材２１４に達し，その反射光が撮影装置２１１に導入されることとなる。このため，第２の実施形態によれば，紙面上に生じた穴をより確実に検出することができる。さらに，乱反射部材２１４と衛生用紙が常に接触していることで，乱反射部材２１４の反射面に紙粉等が堆積しにくくなる。これにより，乱反射部材２１４の反射面が常にきれいな状態に保たれ，反射光の強度が維持される。
【００４９】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【符号の説明】
【００５０】
１００…抄紙機                        １１０…ワイヤパート
１１１…ワイヤ                        １１２…ヘッドボックス
１１３…フォーミングロール            １１４…ドライブロール
１２０…プレスパート                  １２１…ドライヤフェルト
１２２…フェルトロール                １３０…ドライパート
１３１…ヤンキードライヤ              １３２…フード
１３３…ドクターブレード              １４０…カレンダパート
１４１…カレンダロール                １４２…受けロール
１５０…リールパート                  １５１…リールドラム
１５２…巻芯                          ２００…欠陥検査装置
２１１…撮影装置                      ２１２…第１の光源
２１３…第２の光源                    ２１４…乱反射部材
２２０…画像解析装置                  ２２１…制御演算部
２２２…記憶部                        ２２３…操作部
２２４…表示部                        
【図１】
2020027066.tif 000003
【図２】
2020027066.tif 000004
【図３】
2020027066.tif 000005
【図４】
2020027066.tif 000006
【図５】
2020027066.tif 000007
【図６】
2020027066.tif 000008
【図７】
2020027066.tif 000009